(57)【特許請求の範囲】
【請求項１】
デジタルブロードバンドネットワークが、階層変調を適用するデジタルブロードバンド信号を伝送するステップと、
ヘッドエンドが、前記デジタルブロードバンド信号で搬送されるトランスポートストリームに階層優先度がどのようにマッピングされるようになっているかに関する情報を送信するステップと、
を有する方法。
【請求項２】
前記デジタルブロードバンド信号の異なる優先度を有する第２トランスポートストリームから前記トランスポートストリームを、前記優先度に基づいて分離するステップを更に有する請求項１に記載の方法。
【請求項３】
前記トランスポートストリームを識別する情報を解析するステップと、
前記優先度を識別する情報を解析するステップと、
前記トランスポートストリームを前記優先度にマッピングするために解析された情報を結合するステップと、
を更に有する請求項１に記載の方法。
【請求項４】
前記優先度は、前記トランスポートストリームが低優先度か、高優先度かを指示するようになっていて、前記の各優先度は、前記デジタルブロードバンド信号に対して付加された前記情報に基づいている請求項１に記載の方法。
【請求項５】
前記情報を送信するステップは、前記優先度を指示するデジタルブロードバンド信号の記述子を送信するステップを含む請求項１に記載の方法。
【請求項６】
ネットワーク情報テーブルは、前記トランスポートストリームを識別するようになっており、かつ前記ネットワーク情報テーブルの記述子は、前記トランスポートストリームの前記優先度を指示するようになっている請求項１に記載の方法。
【請求項７】
前記記述子は、前記ネットワーク情報テーブルの地上波配信システム記述子を含む請求項６に記載の方法。
【請求項８】
前記ネットワーク情報テーブルの前記地上波配信システム記述子の優先度フラグは、前記優先度を指示するようになっている請求項７に記載の方法。
【請求項９】
前記ネットワーク情報テーブルに含まれるトランスポートストリームＩＤ（transport stream id）及びオリジナルネットワークＩＤ（original network id）双方が、前記トランスポートストリームを唯一に識別する請求項６に記載の方法。
【請求項１０】
少なくとも２つのデータストリームが単一のデジタルブロードバンド信号として変調されるようになっている請求項１に記載の方法。
【請求項１１】
前記２つのストリームは、高優先度ストリーム及び低優先度ストリームを含む請求項１０に記載の方法。
【請求項１２】
前記高優先度ストリームは、前記低優先度ストリームより高いロバスト性を有する請求項１１に記載の方法。
【請求項１３】
前記低優先度ストリームは、前記高優先度ストリームより高いビット速度の符号化を適用する請求項１１に記載の方法。
【請求項１４】
前記デジタルブロードバンド信号は、マルチキャリア信号を含む請求項１に記載の方法。
【請求項１５】
前記デジタルブロードバンド信号は、ＤＶＢ信号を含む請求項１に記載の方法。
【請求項１６】
前記ＤＶＢ信号は、ＤＶＢ−Ｔ信号を含む請求項１５に記載の方法。
【請求項１７】
前記デジタルブロードバンド信号は、無線デジタルブロードバンド信号を含む請求項１に記載の方法。
【請求項１８】
前記無線デジタルブロードバンド信号は、モバイル受信のためのＤＶＢ−Ｔ信号を含む請求項１７に記載の方法。
【請求項１９】
統合受信復号器が、階層変調を適用するデジタルブロードバンド信号を受信するステップと、
前記統合受信復号器が、前記デジタルブロードバンド信号で搬送されるトランスポートストリームに階層優先度がどのようにマッピングされるようになっているかの情報を取得するステップと、
を有する方法。
【請求項２０】
ヘッドエンドが、階層デジタルブロードバンド信号を送信するステップを有する方法であって、
前記階層デジタルブロードバンド信号が、前記階層デジタルブロードバンド信号のトランスポートストリームの優先度を指示する情報を含む方法。
【請求項２１】
統合受信復号器が、階層デジタルブロードバンド信号を受信するステップと、
前記統合受信復号器が、前記階層デジタルブロードバンド信号のトランスポートストリームの優先度を指示する情報を取得するステップと、
を有する方法。
【請求項２２】
前記情報を取得するステップは、前記優先度を指示する前記デジタルブロードバンド信号の記述子を受信するステップを含む請求項２１に記載の方法。
【請求項２３】
ネットワーク情報テーブルは、前記トランスポートストリームを識別するようになっており、かつ、前記ネットワーク情報テーブルの記述子は、前記トランスポートストリームの前記優先度を指示するようになっている請求項２２に記載の方法。
【請求項２４】
前記記述子は、前記ネットワーク情報テーブルの地上波配信システム記述子を含む請求項２３に記載の方法。
【請求項２５】
前記ネットワーク情報テーブルの前記地上波配信システム記述子の優先度フラグは、前記優先度を指示するようになっている請求項２４に記載の方法。
【請求項２６】
前記ネットワーク情報テーブルに含まれるトランスポートストリームＩＤ（transport stream id）及びオリジナルネットワークＩＤ（original network id）双方が、前記トランスポートストリームを唯一に識別する請求項２３に記載の方法。
【請求項２７】
請求項１、１９、２０、又は２１に記載の方法のステップを実行する手段を備えるデータ処理システム。
【請求項２８】
コンピュータ上で実行されたとき、請求項１、１９、２０、又は２１に記載の方法のステップを行うようになっているコンピュータプログラムコードを含むコンピュータプログラム。
【請求項２９】
コンピュータ読取可能記憶媒体に組み込まれた請求項２８に記載のコンピュータプログラム。
【請求項３０】
コンピュータ上で実行されたとき、請求項１、１９、２０、又は２１に記載の方法を実行するようになっているプログラムコードを含むコンピュータ読取可能記憶媒体。
【請求項３１】
請求項２８に記載のコンピュータ実行可能プログラムを搬送する搬送手段。
【請求項３２】
階層変調を適用するデジタルブロードバンド信号を伝送するデジタルブロードバンドネットワークと、
前記デジタルブロードバンド信号の中で搬送されるトランスポートストリームに階層優先度がどのようにマッピングされるようになっているかに関する情報を送信するヘッドエンドと、
を備えるシステム。
【請求項３３】
前記情報は、前記優先度の値を指示するビットフラグを有する請求項３２に記載のシステム。
【請求項３４】
前記ビットフラグは、前記デジタルブロードバンド信号の番組配列情報に含まれる請求項３３に記載のシステム。
【請求項３５】
前記番組配列情報は、ネットワーク情報テーブルを含み、かつ前記ビットフラグは前記ネットワーク情報テーブル内で参照される請求項３４に記載のシステム。
【請求項３６】
前記ネットワーク情報テーブルは記述子を含み、かつ前記ビットフラグは前記記述子内で参照される請求項３５に記載のシステム。
【請求項３７】
前記記述子は地上波配信システム記述子を含み、かつ前記ビットフラグは前記地上波配信システム記述子に含まれる請求項３６に記載のシステム。
【請求項３８】
階層変調を適用するデジタルブロードバンド信号を送信するように構成したヘッドエンドと、
前記デジタルブロードバンド信号の中で搬送されるトランスポートストリームに階層優先度がどのようにマッピングされるようになっているかに関する情報を送信するように更に構成した前記ヘッドエンドと、
を備える送信器。
【請求項３９】
階層変調を適用するデジタルブロードバンド信号を受信するブロードバンド受信器と、
前記デジタルブロードバンド信号の中で搬送されるトランスポートストリームに階層優先度がどのようにマッピングされるようになっているかに関する情報を取得するように構成したプロセッサと、
を備える受信器。
【請求項４０】
前記情報は前記優先度の値を指示するビットフラグを有する請求項３９に記載の受信器。
【請求項４１】
前記ビットフラグは、前記デジタルブロードバンド信号の番組配列情報に含まれる請求項４０に記載の受信器。
【請求項４２】
前記番組配列情報はネットワーク情報テーブルを含み、かつ前記ビットフラグは前記ネットワーク情報テーブルの中で参照される請求項４１に記載の受信器。
【請求項４３】
前記ネットワーク情報テーブルは記述子を含み、かつ前記ビットフラグは前記記述子の中で参照される請求項４２に記載の受信器。
【請求項４４】
前記記述子は地上波配信システム記述子を含み、かつ前記ビットフラグは地上波配信システム記述子に含まれる請求項４３に記載の受信器。
【請求項４５】
前記受信器は、モバイル受信器を含む請求項３９に記載の受信器。
【請求項４６】
前記受信器は、モバイルＤＶＢ−Ｔ受信器を含む請求項４５に記載の受信器。
【請求項４７】
前記受信器は、更に対話のための移動機を含む請求項４６に記載の受信器。
【請求項４８】
階層デジタルブロードバンド信号を送信する手段と、
前記階層デジタルブロードバンド信号のトランスポートストリームの優先度を指示する情報を送信する手段と、
を備える送信器。
【請求項４９】
階層デジタルブロードバンド信号を受信する手段と、
前記階層デジタルブロードバンド信号のトランスポートストリームの優先度を指示する情報を取得する手段と、
を備える受信器。
【請求項５０】
少なくとも２以上の基本的に別個のデータ信号が、単一のデジタルブロードバンド信号に包含されるようになっている方法でデジタルブロードバンド信号をデジタルブロードバンドネットワークが伝送するステップと、
前記包含された単一のデジタルブロードバンド信号において、前記デジタルブロードバンド信号の中で搬送されるトランスポートストリームに階層優先度がどのようにマッピングされるようになっているかに関する情報をヘッドエンドが送信するステップと、
を有する方法。
【請求項５１】
少なくとも２以上の基本的に別個のデータ信号が、単一のデジタルブロードバンド信号に包含されるようになっている方法でデジタルブロードバンド信号を統合受信復号器が受信するステップと、
前記包含された単一のデジタルブロードバンド信号において、前記デジタルブロードバンド信号の中で搬送されるトランスポートストリームに階層優先度がどのようにマッピングされるようになっているかに関する情報を前記統合受信復号器が取得するステップと、
を有する方法。
【発明の詳細な説明】
【技術分野】
【０００１】
本発明は、通信リンク上でデータを配信するためのシステム、方法、および、ネットワークエンティティに関する。
【背景技術】
【０００２】
放送は、ラジオにおいておよそ１世紀の伝統を有する。ＴＶでさえ、歴史は、１９３０年代に戻る。放送業は、大衆へのエンターテイメントおよび情報の両方をもたらす時に、世界中で成功し続けている。
【０００３】
放送業における最近の動向は、ラジオとＴＶ両方のデジタル化である。デジタルラジオは、市場において大きな需要を得なかった。しかしながら、デジタルＴＶが新しい利益とサービスを消費者に運び、結果として、放送業界に新しい収入の流れを生むという希望が大きい。しかしながら、ＴＶサービスそれ自身の基本概念は、あまりおおきく変化していない。むしろ、ＴＶは、デジタルになっても、以前と同じようにある。
【０００４】
１９９０年の中盤以降において、我々はインターネットブームに出会った。新しいサービスとコンテンツのセットの全体は、短期で、革命的で、宣伝が熾烈な間に、消費者に利用可能となった。その期間は、ｅコマース、インターネットサービスプロバイダ（ＩＳＰｓ）、ポータル、アイボールゲーム（ｅｙｅｂａｌｌｓ  ｇａｍｅ）、ドットコムカンパニ、ニューエコノミーすら生まれた。アクセス技術（例えばＡＤＳＬ）と符号化技術（例えばＭＰＥＧ４ストリーミング）の両方における発展は、インターネットを通して家庭にビデオのようなリッチメディアコンテンツを運ぶことも可能になった。これらの技術と市場のブレークスルーにも拘わらず、メディアハウスは、その“無料”体質と海賊行為の脅威のために、それらのコンテンツがインターネットを通して配布されることにずっと乗り気ではなかった。インターネットは、その絶大な人気にも拘わらず、主要な広告プラットフォームとしての伝統的なメディアの役割に挑戦することはなかった。
【０００５】
放送は、放送業者に、それらの様々なサービス環境に適する様々なオプションから選択を許す柔軟なシステムである。広く言えば、信号のロバスト性とサービス・ビットレートの１つとの交換である。幾つかの例では、これは、基本的に別個のデータ信号を単一の信号に包含するように変調し、”良い”受信状況の受信器は両方または全てのデータを受信することができ、一方、より貧弱な受信状況にある受信器は、よりロバストなコーディングをされたデータのみを受信することによって解決される。受信器がそのような信号を受信するとき、例えば通知された既存の信号に関する情報を集める場合に問題が生じる。単一の信号に包含されたそのような信号には区別が無い。解析された情報に基づいて、受信器は、よりロバスト性のある信号だけを見つけることが出来る。その他の信号は、受信器には全く分からない。従って、多くのサービスまたは伝送されたサービスの一部は、利用できず、またさらに、もっと悪いケースは、それらは全く認知されない。これは、そのような信号を識別する必要性を引き起こした。
【非特許文献１】ETSI, EN 300 744, "Digital Video Broadcasting (DVB); Framing structure, channel coding and modulation for digital terrestrial television", v.1.1.2, 1997年8月
【発明の開示】
【発明が解決しようとする課題】
【０００６】
放送の固有の様々な制限のために、従来技術のシステムに関係するこれらの、および、他の問題を回避し、かつ、和らげることが望ましい。従って、トランスポートストリームと階層的優先度の間の結合状態を指示する必要がある。
【課題を解決するための手段】
【０００７】
さて、階層的優先度モードと伝送信号で搬送されるストリームの間のマッピングを指示に対する方法と解決が発明された。
【０００８】
本発明の一つの形態によれば、階層的変調を適用するデジタルブロードバンド信号用の受信方法、送信方法、システム、送信器および受信器が提供される。どのように階層的優先度がデジタルブロードバンドシステムにおけるデジタルブロードバンド信号の中に搬送されるトランスポートストリームにマッピングされるようになっているかに関する情報が提供される。
【発明を実施するための最良の形態】
【０００９】
本発明のより良い理解のための参照は、次の説明でなされ、添付の図に関連して採り上げられ、そしてその範囲は、添付しているクレームで指摘されるだろう。添付の図に関して、本発明は例示の方法のみで述べられている。
【実施例】
【００１０】
デジタルビデオ放送（ＤＶＢ：Digital Video Broadcasting）は、高帯域ブロードバンド伝送チャンネル（high bandwidth broadband transmission channel）を提供し、そこでは、配信は、典型的に、ブロードキャスト、マルチキャスト、または、代替的にユニキャストである。その高帯域伝送チャンネルは、そのようなシステムのユーザに様々なサービスを提供する。様々なサービスを得るための識別は、適当なサービスモデルと受信器に集中させることが必要である。ＤＶＢは、適用可能な原理を提供し、そして、地上デジタルビデオ放送（ＤＶＢ−Ｔ：Terrestrial Digital Video Broadband）が本発明の実施例において適用されるのが好ましい。
【００１１】
デジタルブロードバンド信号は、莫大な量のデータ情報を受信器に与える。デジタルブロードバンド伝送の本質は、伝送が典型的にはブロードキャスト、マルチキャストを適用する複数の受信器へのストリーミング配信によることであるが、代替として、単一の受信器に対するユニキャストポイントツーポイント配信であってもよい。受信器は、莫大な伝送データ情報の中に適切な情報を見つけられるべきである。関係のあるサービス、および／または、受信器に提供可能なサービスまたは受信器によって要求されるサービスを受信することができるために、受信器は、あるパラメータを要求する。なぜなら、デジタルブロードバンド信号は、たくさんのデータを配信することが出来るので、それは受信器が送信された情報からサービス、および／またはサービスの一部を発見できるようにするパラメータを配信できる。これらのパラメータは、デジタルブロードバンド信号によって、受信器に伝送される。受信器は、それらを認識し、パラメータに従ってそれ自身を修正することができる。それ故、受信器は、ブロードバンド信号の中の莫大なデータから関係するデータを識別することによって、サービスの受信をすぐに開始することが出来る。ブロードバンド配信のデータ配信リンクは、地上のリンクであり、モバイル、無線地上リンクが好ましい。デジタルブロードバンド伝送システムは、受信器との対話を有しても良いが、その対話は、必須の要件ではない。
【００１２】
ここで使われるように、ブロードバンド伝送または伝送は、ブロードキャスト、マルチキャスト、またはユニキャストを指してもよく、そしてデータは、ＩＰプロトコル符号化されたデータを含んでもよいが、それに制限はされない。
【００１３】
本発明の好ましい実施例は、受信器への信号の中に搬送されるトランスポートストリーム（ＴＳ）の階層的優先度（例えば、ＨＰ、ＬＰ）マッピングを通知するための、送信方法、受信方法、システム、送信器および受信器を提供する。本発明の好ましい実施例は、異なる優先度を有する異なるＴＳ間の情報を分離して同調する方法を提供する。無線階層的ブロードバンド信号においては、好ましくは、ＤＶＢ−Ｔに基づいて、１つの信号が２つのトランスポートストリームを搬送し、低い優先度（ＬＰ）のストリームと高い優先度（ＨＰ）のストリーム、および、両方が、それらが所有する各々のトランスポートストリームＩＤ（transport stream id）で識別されるべきである。ある記述子が提供する情報上のトランスポートストリームの階層を指示するために、１つのビットフラグはブロードバンド信号のその記述子に加えられる。この優先度指示または優先度フラグの適用によって、受信器は、ブロードバンド信号の管理情報の中で通知される各トランスポートストリームの階層的マッピングを得ることが出来る。
【００１４】
更に好ましい実施例は、トランスポートストリーム（ＴＳ）の階層的優先度（例えば、ＨＰ、ＬＰ）を通知するための記述子の中にフィールドを設定することによって、地上波配信システム記述子（terrestrial delivery system descriptor）のための修正を与え、この記述子はそのトランスポートストリームに関係付けられる。階層的ブロードバンド信号においては、１つの信号が、２つのトランスポートストリーム（ＴＳ）、すなわち低い優先度（ＬＰ）のストリームと高い優先度（ＨＰ）のストリーム、を搬送する。ＬＰストリームとＨＰストリームの両方は、唯一のトランスポートストリームＩＤで識別されるべきである。階層的信号が使用されるケースにおけるＤＶＢ−Ｔストリームの中にトランスポートストリームＩＤをマッピングする方法のこの欠点は、従って、克服される。
【００１５】
更なる好ましい実施例は、１つのビットフラグを地上波配信システム記述子（terrestrial delivery system descriptor）に加えることによるＨＰストリームとＬＰストリームのマッピング問題のための解決策を与える。ビットフラグは、トランスポートストリーム（ＴＳ）の階層的優先度を示し、それから、関係する記述子が情報をあちこちに与える。この“優先度フラグ（priority flag）”手段によって、統合受信復号器（ＩＲＤ：Integrated Receiver Dedecoder）は、ＮＩＴで通知された各トランスポートストリーム（ＴＳ）の階層的マッピングを得ることが出来る。
【００１６】
有利にも、トランスポートストリームＩＤ（transport stream id）は、ＤＶＢ−Ｔ階層的モードストリームに、例えば、低い優先度（ＬＰ）と高い優先度（ＨＰ）に関連付けられる。本発明の実施例は、既存のＤＶＢ−Ｔ受信器との互換性を考慮している。これは、主に、本発明の実施例は、地上波配信システム記述子（terrestrial delivery system descriptor）の中の“将来使用のための保存”ビットを利用し、従って、既存機器にいかなる制約も設定しない。
【００１７】
本発明の幾つかの実施例は、階層的変調を適用する。階層的変調のための典型的環境は、ＤＶＢ−Ｔである。階層的ブロードバンド信号は、異なる優先度を有する２つの個別のトランスポートストリームを少なくとも有する。階層的変調においては、２つの個別のトランスポートストリームは、単一のＤＶＢ−Ｔストリームに変調される。１つのＤＶＢ−Ｔストリームは、その時、１つの“高優先度”（ＨＰ）トランスポートストリームと１つの“低優先度”（ＬＰ）トランスポートストリームを含む。“良い”受信状況にある受信器は、両方のトランスポートストリームを受信でき、一方、貧弱な受信状況にある受信器は、“高優先度”トランスポートストリームのみを受信する。放送業者は、２つの完全に異なるサービスを持った２種のＤＶＢ−Ｔ受信器をターゲットにすることが出来る。典型的には、ＬＰストリームは、高いビットレートであるが、ＨＰストリームと比べて低いロバスト性である。階層的ブロードバンド信号は、特にモバイルやポータブル受信器に関係する。有利にも、ＬＰストリームとＨＰストリームは、ストリームの優先度（高いか低いか）および対象となるトランスポートストリームの通信を識別する記述子の中に含まれるフラグによって指示される。それ故、受信器は、階層的ブロードバンド信号のストリームを識別し、分離することも出来る。ここで使用されたように、階層的優先度は、特に２つの優先値または特性とともにストリームを指し、かつ、様々な特性を含めることが可能であり、低い優先度と高い優先度に制限はされない。
【００１８】
本発明の幾つかの実施例は、番組特定情報（ＰＳＩ：Program Specific Information）と番組配列情報（ＳＩ：Service Information）テーブルを用いる。ＰＳＩとＳＩは、ＭＰＥＧ−２信号の中の付加的な構造で使用される一組のテーブルを形成する。ＰＳＩは、番組配列情報（ＳＩ）ＥＴＳＩ  ＥＮ  ３００  ４６８のためのＭＰＥＧ−２システム標準ＩＳＯ／ＩＥＣ１３８１８−１、および、ＤＶＢ信号の中のＳＩで定義される。これらのテーブルは、ＭＰＥＧ−２信号で配送されるサービスに関する種々の情報を送るために使用される。
【００１９】
ＭＰＥＧ−２信号は、システムレイヤで制御され、システムレイヤは、データを多重、分離するために要求される情報を提供する。この情報は、番組特定情報（ＰＳＩ）に含まれ、番組特定情報（ＰＳＩ）は、ＭＰＥＧ−２信号で搬送される全てのサービスのための目次として作用する。更に、ＤＶＢは、ＤＶＢ標準をサポートするいかなるネットワークも、それらの信号中のあるＳＩテーブルを少なくとも使用すべきことを規定している。そのようなテーブルの例は、ネットワーク情報テーブル（ＮＩＴ：Network Information Table）である。
【００２０】
本発明の幾つかの実施例は、ネットワーク情報テーブル（ＮＩＴ）を用いる。ＮＩＴは、ＴＳのグループ化、および、関係する変調情報を与える。ＮＩＴは、統合受信復号器（ＩＲＤ）の設定手続中に使用され、関係のある設定情報は、不揮発性メモリに保存される。ＮＩＴは、変調情報の変化を通知するためにも使用される。次のルールが本発明の実施例におけるＮＩＴに適用される。
【００２１】
ａ）実際の配信システムはＮＩＴを伝送する。
【００２２】
ｂ）実際の配信システムを記述するＮＩＴは、確かであることが考慮される。例えば、実際の伝送システムのための適用可能な伝送システム記述子を含むかどうかが考慮される。放送配信システム境界の幾つかの遷移においては、ＴＳの中で搬送されるＮＩＴは、放送チェーンにおける上位ネットワークを記述することができる。実際の配信システムのための関係する同調情報（tuning information）を獲得するために、異なる機構がＩＲＤによって選定されるべきである。例えば、衛星ＩＲＤが、実際の配信システムのために衛星配信システム記述子を受信するなら、有効である。ケーブルＩＲＤが、実際の配信システムのためにケーブル配信システム記述子を受信するなら、有効である。ケーブルＩＲＤが実際の配信システムのために衛星配信システム記述子を受信するなら、ケーブルＩＲＤのために無効と仮定される。
【００２３】
ｃ）実際の配信システムのための有効なＮＩＴが、ＳＩビットストリームの中に存在するなら、それは、通常実際の配信システムの全てのＴＳを列挙する。
【００２４】
ｄ）ＳＩストリームは、ＮＩＴデータやＮＵＬＬパケットを搬送する１０秒につき、少なくとも８つのＴＳパケットを有する。この規則は、放送配信システム境界においてＮＩＴの置換を単純化する。この単純な置換機構によって、ローカル周波数制御は、相対的に低価格機器で実現できる。
【００２５】
ＳＩは、伝送システムの概念に関連する２つのラベルを使用する。即ち、ネットワークＩＤ（network id）とオリジナルネットワークＩＤ（original network id）である。後者は、ＴＳが元の配信システムと別の配信システムに転送されたとしても、ＴＳ内に含まれるサービスを唯一に識別できることを主に意図している。ＴＳは、唯一に、オリジナルネットワークＩＤ（original network id）／トランスポートストリームＩＤ（transport stream id）のパスによって参照される。あるサービスは、唯一に、オリジナルネットワークＩＤ（original network id）／トランスポートストリームＩＤ（transport stream id）のパスによって参照される。従って、ネットワークＩＤ（network id）は、このパスの一部ではない。あるサービス（ＴＳの中に含まれる）が別の配信システムに転送される場合、ネットワークＩＤ（network id）のみが変化し、一方、オリジナルネットワークＩＤ（original network id）は影響を受けないままである。更なるＮＩＴの技術の詳細は、ＥＴＳＩ  ＥＮ  ３００  ４６８、例えば、ＥＴＳＩ  ＥＮ  ３００  ４６８  Ｖ１．５．１最終版（２００３−０１）のページ１７である。
【００２６】
本発明の幾つかの実施例は、記述子を適用する。記述子は、ブロードバンド信号内の機能によって、代替的に、識別子または指示子と呼ぶこともある。ＤＶＢ標準は幾つかの記述子を定義し、そしてそれは、受信器への情報を知らせるために使用されるＰＳＩ／ＳＩテーブルの中の付加的なフィールドである。標準仕様：ＥＮ  ３００  ４６８−デジタルビデオ放送；ＤＶＢシステムおよびＥＴＳＩ  ＴＲ  １０１  １２１−デジタルビデオ放送（ＤＶＢ）の中の番組配列情報（ＳＩ）のための仕様；番組配列情報（ＳＩ）の実施と使用のガイドラインは、記述子に関する更なる技術上の情報を提供する。記述子の例は、地上波配信システム記述子（terrestrial delivery system descriptor）である。
【００２７】
配信システム記述子は、衛星配信システム記述子（satellite delivery system descriptor）、ケーブル配信システム記述子（cable delivery system descriptor）および地上波配信システム記述子（terrestrial delivery system descriptor）である。他の配信システム用記述子を規定してもよい。配信システム記述子は、ネットワークの中の各転送多重用の物理パラメータを伝送するために使用される。典型的には、１つ（かつ１つのみ）の配信システム記述子は、各ループに現れる。ＩＲＤは、ＴＳへ素早く同調するために、配信システム記述子を解釈することが出来る。更なる技術詳細は、標準仕様ＴＲ１０１  ２１１、例えば、章節４．１．１と５．３．１に見られる。
【００２８】
幾つかの記述子や識別子は、技術仕様において、例えば、地上波配信システム記述子（terrestrial delivery system descriptor）をterrestrial delivery system descriptorのようにアンダーバー付き文字で参照することができることに注意されたい。
【００２９】
また、ＮＩＴテーブルと地上波配信システム記述子（terrestrial delivery system descriptor）を用いる本発明の更なる実施例が、次に提供される。単一のＤＶＢ−Ｔトランスポートストリーム（デフォルトケース）のマッピングのサポートはＥＮ３００  ４６８に見られる。しかし、ＤＶＢ−Ｔネットワークは、階層的モードを使用する場合、階層的モードが２つのトランスポートストリームを好ましくは含む原則と異なり、１つのトランスポートストリームをＲＦチャンネルにマッピングするために、問題が生じる。これは、ＩＲＤがＮＩＴで通知されたトランスポートストリームＩＤ（transport stream id）がＬＰストリームに属するのかＨＰストリームに属するかどうかを知ることが出来ないという状況を導く。
【００３０】
下記に示す表１は、ＮＩＴテーブルの構造の例を表す。下記に示す表２（ＥＴＳＩ  ＥＮ  ３００  ４６８  Ｖ１．５．１最終版（２００３−０１）のページ４４のとおり）に例示される地上波配信システム記述子（terrestrial delivery system descriptor）は、ＮＩＴの第２記述子ループによって搬送される。地上波配信システム記述子（terrestrial delivery system descriptor）は、ＮＩＴの第２記述子ループにおいて参照され、そしてそれは、表内で強調表示されている。
【００３１】
【表１】
0004885456.tif 000002
【００３２】
第１の“将来使用のために予約”フィールドの１つのビット（表２の例で強調されるテキストを参照）は、優先度フラグ（priority flag）として命名されるのが好ましく、修正されて、この識別子に関係するトランスポートストリームが低い優先度（ＬＰ）か高い優先度（ＨＰ）を有するかどうかを示すように設定される。この通知形式は、表３の例で詳細に説明されている。
【００３３】
【表２】
0004885456.tif 000003
【００３４】
【表３】
0004885456.tif 000004
【００３５】
次に、本発明の更なる実施例は、トランスポートストリームＩＤ（transport stream id）を、そのようなストリームの優先度に適用し、マッピングし、ブロードバンドデータ信号受信に基づいた階層の中のＮＩＴと優先度を解析することが述べられる。
【００３６】
図１は、トランスポートストリームを、ＮＩＴによって参照される同調パラメータと階層情報にマッピングするＮＩＴテーブルの例である。このように、ＮＩＴがトランスポートストリームを同調パラメータと優先度フラグ（priority flag）でどのようにマッピングするかの例が表されている。ＴＳは、オリジナルネットワークＩＤ（original network id）とトランスポートストリームＩＤ（transport stream id）で示される。ＴＳは、ＮＩＴのトランスポートストリームループの中で通知される。同調パラメータと優先度フラグ（priority flag）は、地上波配信システム記述子（terrestrial delivery system descriptor）の中で通知される。２つの最初に通知されるトランスポートストリーム（ＴＳ）は、同じ信号（中央周波数４９８ＭＨｚ）で搬送される。例においては、これらのトランスポートストリーム間の違いは、階層的優先度およびトランスポートストリームＩＤ（transport stream id）の値のみである。第１のもの（トランスポートストリームＩＤ（transport stream id）＝１）は、高優先度（ＨＰ）トランスポートストリームである。優先度フラグ（priority flag）が１に設定されることが図１で表される。第２のもの（トランスポートストリームＩＤ（transport stream id）＝２）は、低優先度（ＬＰ）トランスポートストリームである。優先度フラグ（priority flag）が０に設定されることが図１で表される。
【００３７】
更に、図１を参照すると、地上波配信システム記述子（terrestrial delivery system descriptor）の中に優先度フラグ（priority flag）を加えることによって、ＮＩＴの中で通知されるトランスポートストリームは、それらの相当する階層情報によってもマッピングされる。
【００３８】
図２の例は、本発明の更なる実施例に従って、ＮＩＴとパラメータを解析する方法を説明する。その処理は、ステップ２００で開始する。デジタルブロードバンドネットワーク（ＤＢＮ）が作動し、ＩＲＤは、そのブロードバンド信号を受信するためにスイッチが入れられる。ＩＲＤは、幾つかのＰＳＩ／ＳＩテーブルを識別し、それ故、通知されたトランスポートストリームに関する情報を取得する。ＩＲＤは、ＮＩＴを受信し、識別する。ＩＲＤは、ＮＩＴの中で参照される地上波配信システム記述子（terrestrial delivery system descriptor）をも見つけ、ステップ２０１では、ＩＲＤは、ＮＩＴのトランスポートストリームループからトランスポートストリームＩＤ（transport stream id）とオリジナルネットワークＩＤ（original network id）を解析する。ステップ２０２では、ＩＲＤは、解析されたトランスポートストリームＩＤ（transport stream id）のための地上波配信システム記述子（terrestrial delivery system descriptor）を解析する。その地上波配信システム記述子（terrestrial delivery system descriptor）は、優先度フラグ（priority flag）を含む。ステップ２０３では、ＩＲＤはステップ２０１で解析されたトランスポートストリームＩＤ（transport stream id）およびステップ２０２で解析されたパラメータを保存する。それ故、トランスポートストリームＩＤ（transport stream id）とオリジナルネットワークＩＤ（original network id）は、同調パラメータと階層情報の中にマッピングされ、および、それらは、ＩＲＤのメモリに保存され得る。ステップ２０４では、トランスポートストリーム内の全てのアイテムが解析されたかどうかがチェックされる。もしされないなら、その処理は、次に、ステップ２０５におけるＮＩＴのトランスポートストリームループのトランスポートストリームＩＤ（transport stream id）とオリジナルネットワークＩＤ（original network id）の対に続く。このように、ステップ２０１〜２０４は、ＮＩＴのトランスポートストリームの全トランスポートストリームＩＤ（transport stream id）とオリジナルネットワークＩＤ（original network id）対に実行される。もし、トランスポートストリームの中の全ての関係するアイテムが解析されるなら、その処理は、ステップ２０６で終了する。有利にも、ＩＲＤは、階層的信号中の異なる優先度を有するトランスポートストリームを識別する方法の知識を獲得する。さらに有利にも、ＩＲＤは、各優先度ストリームを互いに分離することも出来る。
【００３９】
図３は、異なる優先度を有するＴＳの同調情報を分離する方法を表す。その処理は、ステップ３００でスタートする。デジタルブロードバンドネットワーク（ＤＢＮ）は作動し、ＩＲＤは、ＤＶＢ−Ｔを階層的ブロードバンド信号を受信するためにスイッチが入れられる。ＩＲＤは、幾つかのＰＳＩ／ＳＩテーブルを認識し、それ故、通知されるトランスポートストリームに関する情報を取得する。ステップ３０１では、ＩＲＤはＳＩデータを解析する。ＩＲＤは、ＮＩＴのトランスポートストリームループから全トランスポートストリームＩＤ（transport stream id）とオリジナルネットワークＩＤ（original network id）を解析する。ステップ３０２では、ＩＲＤは、優先度情報を解析する。ＩＲＤは、解析した全トランスポートストリームＩＤ（transport stream id）のための地上波配信システム記述子（terrestrial delivery system descriptor）を解析する。その地上波配信システム記述子（terrestrial delivery system descriptor）は、優先度フラグ（priority flag）を含む。ステップ３０３では、ＩＲＤは、異なる優先度を有するＴＳの同調情報を分離することが出来る。ＩＲＤは、ステップ３０１で解析されたトランスポートストリームＩＤ（transport stream id）と、ステップ３０２で解析されたパラメータを保存する。それ故、トランスポートストリームＩＤ（transport stream id）とオリジナルネットワークＩＤ（original network id）は、同調パラメータと階層情報の中にマッピングされ、そのマッピングは、ＩＲＤのメモリに保存され得る。トランスポートストリーム内の全てのアイテムが解析されたかどうかがチェックされるのが好ましい。このように、ステップ３０１〜３０２は、ＮＩＴのトランスポートストリームループの全トランスポートストリームＩＤ（transport stream id）とオリジナルネットワークＩＤ（original network id）に実行される。有利にも、ＩＲＤは、各優先度ストリームを互いに分離することも出来る。ステップ３０４では、ＩＲＤは、ＨＰ  ＴＳを受信することが出来る。従って、もし必要なら、ＩＲＤは、高い優先度のストリームのみに焦点を当てることが出来る。これは、例えば干渉がＤＶＢ−Ｔの受信に生じて伝送状況が”良い”でないとき、にあてはまる。従って、必要なら、ＩＲＤは、低い優先度のストリームのみに焦点を当てることが出来る。ＬＰがＩＲＤに利用可能であるという指示と識別に基づいて、ＬＰ  ＴＳが、ＨＰ  ＴＳより受信することが困難であっても、これは有利である。例え、受信状況がより悪く、すなわち”そんなに良くない”であり、かつ、幾つかの干渉が受信に生じていても、階層的ＤＶＢ−Ｔ信号がＬＰ  ＴＳを有するという情報は少なくとも獲得することが出来る。過酷な状況下では、ＬＰ  ＴＳは、幾つかの干渉を有する。更に、ＨＰとＬＰの両方を、ＩＲＤによって受信することもできる。
【００４０】
図４の例は、階層的優先度が、階層的ブロードバンド信号の中のトランスポートストリームにどのようにマッピングされるかを示す方法を表す。ステップ４００では、ＤＢＮは作動し、ＤＶＢ−Ｔ信号のためのサービスデータを処理する。ステップ４０１では、ＤＢＮは、ＳＩ／ＰＳＩデータを提供する。優先度フラグ（priority flag）情報を有する地上波配信システム記述子（terrestrial delivery system descriptor）は、ＮＩＴの第２識別子の中のＰＳＩ／ＳＩテーブル内に含まれる。このように、ＮＩＴ優先度情報は、ステップ４０２において提供される。ＤＢＮは、ステップ４０３でのＨＰ  ＴＳとＬＰ  ＴＳも伝送する。記述子に基づいて、ＤＢＮは、階層的ストリームを高優先度ストリームおよび低優先度ストリームに分類することができ、さらに、その分類を表示し、指示することが出来る。特に、ＩＲＤは、受信状況が最適でなくても、ＬＰストリームを見つけることが出来る。
【００４１】
本発明の幾つかの実施例は、図５のシステムに適用される。図５のネットワークは、階層的ブロードバンド信号中のＴＳの階層的優先度マッピングの通知に相当する地上波配信システム記述子（terrestrial delivery system descriptor）を伝送するように構成される。統合受信復号器（ＩＲＤ）は、デジタルブロードバンドネットワーク（ＤＢＮ）の適用される範囲下で作動するのが好ましい。代替的に、ＩＲＤは、エンドユーザターミナル（ＥＵＴ）とも呼ばれる。ＩＲＤは、ＤＢＮが提供するサービスに基づいたＩＰを受信することが出来る。ＤＢＮは、ＤＶＢ、好ましくは、ＤＶＢ−Ｔに基づいており、ＤＢＮの信号は、階層的信号変調に基づくＴＳを含む。送信の前にデータがＤＢＮで処理される。ＤＢＮは、伝送される信号の修正手段を備える。ＤＢＮは、ＳＩ／ＰＳＩデータを提供する。優先度フラグ（priority flag）情報を有する地上波配信システム記述子（terrestrial delivery system descriptor）は、ＮＩＴの第２識別子ループの中のＰＳＩ／ＳＩテーブルの中に含まれる。従って、ＮＩＴ優先度情報は提供される。ＤＢＮは、ＨＰ  ＴＳとＬＰ  ＴＳをも伝送する。識別子に基づいて、ＤＢＮは、階層的ストリームを高／低優先度ストリームに分類することができ、さらに、その分類を表し、示すことができる。特に、ＩＲＤは、たとえ受信状況が最適でなくてもＬＰストリームを発見することができる。ＩＲＤは、デジタルブロードバンド信号内で搬送される各ＴＳの階層的優先度を識別することができる。ＩＲＤは、前もって、そのような識別子や信号を解釈するように修正される必要は必ずしも無く、放送信号を受信する間に受信器がそれに適応するようにしてもよいし、あるいは、適応させるようにしてもよい。ＩＲＤは、手続を識別し、マッピングするためのいかなる対話も必要しない。ＤＢＮの信号は、ＤＶＢ−Ｔに基づいたＩＲＤに対する無線、または、モバイル信号である。
【００４２】
図４の例に更に言及すると、ＩＰカプセル化を含むヘッドエンド（ＨＥ）は、マルチプロトコールカプセル化（ＭＰＥ）を実行し、データコンテナに基づいたＭＰＥＧ−ＴＳ（Moving Picture Experts Group Transport Stream）の中にＩＰデータを配置する。ＨＥは、テーブルの発生、テーブル間の結合、および、テーブルの修正を実行する。
【００４３】
そのように生成されたＴＳは、ＤＶＢ−Ｔデータリンクの上を伝送される。ＩＲＤは、デジタル放送されたデータを受信する。ＩＲＤは、階層的ブロードバンド信号と可能性のある他のＴＳに従って、記述子とＴＳをも受信する。ＩＲＤは、優先度指示を有するＴＳを識別することができる。このように、ＤＢＮは、階層的信号のＴＳの優先度を通知する。ＩＲＤは、受信したＮＩＴからトランスポートストリームＩＤ（transport stream id）を解析する。また、ＴＳの階層的優先度に従って、ＩＲＤは、ＴＳを分類することができる。さらに、ＩＲＤは、ＴＳ内に階層的優先度情報、例えば、トランスポートストリームＩＤ（transport stream id）とオリジナルネットワークＩＤ（original network id）は、同調パラメータと階層情報の中にどのようにマッピングされるかに関する情報をマッピングすることができる。そのマッピング結果は、ＩＲＤのメモリの中に保存される。更なる動作は、上述の図１〜４と表１〜３で述べられる。
【００４４】
図６の例は、統合受信復号器（ＩＲＤ）、または代替的に受信器またはエンドユーザターミナル（ＥＵＴ）と呼ばれるものの機能ブロック図を表す。ＩＲＤ受信器は、地上波配信システム記述子（terrestrial delivery system descriptor）に一致するように復号する。ＩＲＤは、処理ユニットＣＰＵと、ＤＶＢ−Ｔ信号のようなマルチキャリアブロードバンド信号を受信できるブロードバンド受信器部分、または、代替的に、マルチキャリア信号受信器部分と呼ばれる部分と、ユーザインタフェースＵＩと、を備える。ブロードバンド受信器部分とユーザインタフェースＵＩは、処理ユニットＣＰＵに結合される。ユーザインタフェースＵＩは、ユーザが受信器を使用できるようにするディスプレイとキーボードを備える。加えて、ユーザインタフェースＵＩは、オーディオ信号を受信し、生成するためのマイクロフォンとスピーカを備える。ユーザインタフェースＵＩは、（示されていない）音声認識装置をも備える。処理ユニットＣＰＵは、（示されていない）マイクロプロセッサ、メモリおよびソフトウエアＳＷを備え得る。ソフトウエアＳＷは、メモリに保存される。マイクロプロセッサは、ソフトウエアＳＷに基づいて、ＴＳの階層的優先度の識別、あるＴＳ共に階層的優先度の接続、異なる優先度を有するＴＳの分離、ユーザインタフェースＵＩにおける出力表示、およびユーザインタフェースＵＩから受信した入力の読み込みのような、受信器の動作を制御する。その動作は、上述の図１〜５および表１〜３に述べられる。例えば、（示されてない）ハードウェアは、信号を受信する手段、復調手段、ＮＩＴ検出手段、地上波配信システムＩＤ（terrestrial delivery system descriptor）を検出する手段、トランスポートストリームＩＤ（transport stream id）とオリジナルネットワークＩＤ（original network id）を解析する手段、トランスポートストリームＩＤ（transport stream id）解析のための優先度フラグ（priority flag）を含む地上波配信システムＩＤ（terrestrial delivery system descriptor）を解析する手段、トランスポートストリームＩＤ（transport stream id）とオリジナルネットワークＩＤ（original network id）を同調パラメータと階層情報の中にマッピングする手段、および、メモリの中に情報を保存する手段を備える。たとえ、放送された情報が動的に変更し、ＩＲＤは、ＮＩＴで通知された情報に頼らなければならなくても、ＩＲＤは、異なる優先度を有するＴＳ間の同調情報を有益に分離することができる。
【００４５】
さらに、図６を参照すると、代替的に、（示されてない）ミドルウエアまたはソフトウエアの実施が適用される。ＩＲＤは、ユーザが楽に運ぶことができるハンドヘルドデバイスになり得る。有利にも、ＩＲＤは、放送受信器またはＤＶＢ−Ｔ放送信号ストリームを受信するマルチキャリア信号受信器（これは、代替的なオプションとしてのみであり、点線ブロックによって図６に示される）を有する携帯電話を備えることができる。それ故、ＥＵＴは、サービスプロバイダと対話し得る。
【００４６】
有利にも、他の手段によってＨＰ／ＬＰマッピングを提供するために、付加的なテーブルを解析する付加的な時間は必要とされない。可能性のある周波数範囲、例えばＵＨＦ、で繰り返される、可能性のある各同調の組合せを探索する時間のかかる信号スキャンも必要とされない。
【００４７】
受信器は、有益にも、受信器が焦点を当てたい階層的ＤＶＢ−Ｔ信号のストリームに焦点を当てることができる。従って、ＬＰストリームは、無視されず、少なくとも識別される。電気消費の観点への助成は、付加的な周波数スキャンを回避し、または、受信したＤＶＢ−Ｔ信号を解析することによって成し遂げられる。受信器は、デジタル放送の他の記述子を受信し、認識するために使用される相当手段を適用することによって、決められた記述子を解釈することのみが必要とされる。
【００４８】
本発明の幾つかの実施例は、ポータブル受信、例えば、ＩＰデータキャスト受信器、をサポートし、モバイルハンドヘルド受信器または送信器のために機能し得る。階層的優先度情報を有するトランスポートストリームのマッピングの指示は、本ケースに有益である。典型的には、モバイルＤＶＢ−Ｔ受信器は電力消費の観点に苦しむ。更に、受信状況は変化し、典型的に生じる幾つかの干渉は、モバイル受信に干渉するブロードバンド信号である。それ故、階層的変調は、少なくともある重要なストリームが配信されるので、モバイル環境に有利である。有利にも、階層的ブロードバンド信号において、ストリームは有利にも、受信器に示され、モバイル受信器は電力消費に影響を受けやすいものであるが、階層的ブロードバンド信号ストリームを識別することができる。モバイル受信器は、周波数の付加的なスキャン、ストリームの付加的なスキャンまたはストリームのパラメータの一般的に付加的なスキャンのようないかなる電力消費動作も行う必要は無い。また、最初の受信と次の最初の解析シーケンスが単一の基本的な放送受信に基づいているので、付加的な解析、受信器の電力消費は、回避される。
【００４９】
実施例の機能は、経済性のような本発明の利益を後押しする。例えば、ＤＶＢ−Ｔは、データを配信する効果的で安価な方法を提案し、たとえ無電力消費放送システムと共に部分的に作動する場合でも、本実施例は、放送データストリームのための少電力消費受信方法を助長する。
【００５０】
本発明の更なる実施例においては、ＨＰ／ＬＰストリームの分離を示す方法が述べられる。また、これは、階層的優先度のマッピングをトランスポートストリームの中に通知する方法を提供する。デジタルブロードバンドネットワークシステム、または、そのようなシステムのオペレータは、ある順番で、ＮＩＴにトランスポートストリームを通知する。例えば、最初に、当該周波数および多重化のＨＰ  ＴＳが通知される。次に、当該周波数および多重化のＬＰ  ＴＳが通知される。従って、ＮＩＴは、順番中のある位置が優先度を意味する順番でＴＳを通知するようになっている。
【００５１】
本発明の特有の実施と実施例が、述べられた。本発明は上述した実施例の詳細に制限されず、本発明の特徴から逸脱しない均等手段を用いる他の実施例によって実現され得るのは、当業者には明らかである。本発明の範囲は、添付した特許請求項によってのみ制限される。結果的に、均等なものを含み、本願請求項によって決定される本発明を実現する他の選択肢も、本発明の範囲に属する。
【図面の簡単な説明】
【００５２】
【図１】本発明の実施例に従って、トランスポートストリームを同調パラメータにマ    ッピングするネットワーク情報テーブル（ＮＩＴ）例を示す図である。
【図２】本発明の実施例に従って、ＮＩＴおよび優先度パラメータを解析する方法    を、フローチャートの形式で表現する図である。
【図３】本発明の実施例に従って、異なる優先度を有するトランスポートストリー    ムの同調情報を分離する方法を、フローチャートの形式で表現する図である。
【図４】本発明の実施例に従って、階層的優先度が階層的ブロードバンド信号内のトランスポートストリームの中にどのようにマッピングされているかを示す方法を、フローチャートの形式で表現する図である。
【図５】実施された本発明の原理が適用されるシステムの一般的なアーキテクチャを示す図である。
【図６】本発明の実施例に従って、階層的優先度が異なるトランスポートストリームの中にどのようにマッピングされているかを解析するための端末の機能ブロック図を表現する図である。
【図１】
0004885456.tif 000005
【図２】
0004885456.tif 000006
【図３】
0004885456.tif 000007
【図４】
0004885456.tif 000008
【図５】
0004885456.tif 000009
【図６】
0004885456.tif 000010